(57)【要約】【課題】少なくとも３つ以上の各観察法の各光学素子ユニットを切り換える際に、両端部以外に配置された光学素子ユニットの移動方向に関係なく、所定の位置に位置決めできる操作性を向上させること。【解決手段】キューブ保持部材２１をガイド機構２０に沿って移動させて当該キューブ保持部材２１に保持されている明視野観察用キューブ１２−１、暗視野観察用キューブ１２−２又はＤＩＣ観察用キューブ１２−３を観察光軸Ｌ２上に配置する場合、選択ツマミ４３を押し込むことによりピン突出用の孔から出没する挿脱ピン５２と、この挿脱ピン５２が当接することによりキューブ保持部材２１の移動範囲を制限する制限板５７とを有する制限機構５０を設けた。【選択図】図２
2007025292.tif 000002
【特許請求の範囲】
【請求項１】
少なくとも３つ以上の光学素子ユニットのうちいずれか１つの前記光学素子ユニットを顕微鏡の照明光学系の光路上に配置していずれか１つに切り換える顕微鏡の光学素子切換装置において、
前記各光学素子ユニットを保持するユニット保持部と、
前記ユニット保持部を移動可能に設け、前記各光学素子ユニットのうちいずれか１つの前記光学素子ユニットを前記照明光学系の前記光路上に配置するガイド機構と、
前記ユニット保持部を前記ガイド機構に沿って移動させて、前記各光学素子ユニットのうちいずれか１つの前記光学素子ユニットを前記照明光学系の前記光路上に配置させる切換操作部と、
前記切換操作部による前記ユニット保持部の移動範囲を制限し、かつ当該移動範囲の制限を有効又は無効に選択可能な制限機構と、
を具備したことを特徴とする顕微鏡の光学素子切換装置。
【請求項２】
前記制限機構は、前記各光学素子ユニットのうち所定の前記光学素子ユニットが前記照明光学系の前記光路上に移動すると、前記切換操作部による前記ユニット保持部の移動を制限することを特徴とする請求項１記載の顕微鏡の光学素子切換装置。
【請求項３】
前記ガイド機構は、前記ユニット保持部を往復移動可能であり、
前記制限機構は、前記ユニット保持部の前記往復の各移動方向に対してそれぞれ前記ユニット保持部の移動範囲を制限することを特徴とする請求項１記載の顕微鏡の光学素子切換装置。
【請求項４】
前記制限機構は、顕微鏡本体に設けられた第１の制限部材と、
前記ユニット保持部に設けられた第２の制限部材とを有し、
前記第１の制限部材と前記第２の制限部材との係止とその解除とによって前記ユニット保持部の移動範囲の制限を有効又は無効にする、
ことを特徴とする請求項１記載の顕微鏡の光学素子切換装置。
【請求項５】
前記制限機構は、顕微鏡本体に設けられた弾性を有する第１の制限部材と、
前記ユニット保持部に設けられ、前記第１の制限部材に対して当接可能な第１の位置と前記第１の制限部材と当接しない第２の位置とに配置可能な第２の制限部材と、
を有することを特徴とする請求項１記載の顕微鏡の光学素子切換装置。
【請求項６】
前記制限機構は、前記ガイド機構に設けられた弾性を有する第１の制限部材と、
前記ユニット保持部に設けられ、前記第１の制限部材に対して当接可能な第１の位置と前記第１の制限部材に当接しない第２の位置とに配置可能な第２の制限部材と、
前記ユニット保持部に設けられた移動用穴と、
前記移動用穴内に移動可能に設けられ、かつ前記第２の制限部材が挿脱される溝部が設けられ、前記移動用穴内での移動によって前記第２の制限部材を前記溝部内に挿脱させて当該第２の制限部材を前記ユニット保持部に対して前記第１の位置又は前記第２の位置に出没させる選択部材と、
を有することを特徴とする請求項１記載の顕微鏡の光学素子切換装置。
【発明の詳細な説明】
【技術分野】
【０００１】
本発明は、顕微鏡で例えば明視野観察、暗視野観察、微分干渉（ＤＩＣ）観察、蛍光観察などの各種観察を行うときに、顕微鏡の光軸上に各種光学素子を切り換えて配置する顕微鏡の光学素子切換装置に関する。
【背景技術】
【０００２】
顕微鏡で例えば明視野観察、暗視野観察、ＤＩＣ観察、蛍光観察などの各種観察を行うときには、これら観察に応じて顕微鏡の光軸上に必要な光学素子を配置する必要がある。例えば顕微鏡の落射投光装置では、光源から発せられた照明光を対物レンズに導いて標本に照射し、標本からの観察光を再び対物レンズを通して接眼レンズに導くために光学素子を対物レンズと接眼レンズとの間に設ける。  
この光学素子の種類を変えることによって明視野観察、暗視野観察、ＤＩＣ観察、蛍光観察等の各種観察が可能になる。このような光学素子は、顕微鏡本体に対して着脱交換可能で、かつ各種観察法に応じた複数の光学素子ユニット（キューブ）内に設けられ、これらキューブを切り換えることにより各種観察法による検鏡を可能にしている。
【０００３】
このようなキューブを設けた顕微鏡では、例えば明視野観察、暗視野観察、ＤＩＣ観察の３つのキューブを備える場合があり、かかる場合には、中央部に明視野観察用のキューブを配置し、この明視野観察用キューブの両側にそれぞれ暗視野観察用キューブとＤＩＣ観察用キューブとを配置する。検鏡者による観察では、明視野観察を主として行い、暗視野観察用キューブ又はＤＩＣ観察用キューブへの切り換えを行って暗視野観察又はＤＩＣ観察を行う。検鏡者は、暗視野観察からＤＩＣ観察への切り換え、又はその逆のＤＩＣ観察から暗視野観察への切り換えも行う。  
このような観察では、例えば暗視野観察又はＤＩＣ観察から明視野観察に戻す切り換えを行うとき、すなわち明視野観察用キューブの両端側の暗視野観察用キューブ又はＤＩＣ観察用キューブから明視野観察用キューブに切り換えるとき、明視野観察用キューブが観察光軸上の所定の位置で停止せずに行き過ぎてしまうことがある。
【０００４】
各種観察法が可能な顕微鏡の切換機構としては、例えば特許文献１、２に開示されている各技術がある。特許文献１には、複数、例えば３つの光学素子ユニットを直列に並べて備える保持部を有し、この保持部を落射投光装置側に固定されたガイド部に沿って移動させることにより複数の光学素子ユニットを移動させ、いずれか１つの光学素子ユニットを顕微鏡の光軸上に配置する技術が開示されている。  
特許文献２には、複数、例えば３つの観察キューブを直列に並べ、観察キューブの移動範囲を制限することによって中央の観察キューブの位置でも確実な位置決めを行う切換機構が開示されている。
【特許文献１】特許第２９４５１１４号公報
【特許文献２】特開平１０−１９７８０１号公報
【発明の開示】
【発明が解決しようとする課題】
【０００５】
特許文献１は、各光学素子ユニットの交換を簡単に行えるが、両端の光学素子ユニットから中央部の光学素子ユニットに切り換えるとき、当該中央部の光学素子ユニットが観察光軸上の所定の位置で停止せずに行き過ぎることを回避する技術でない。
【０００６】
特許文献２は、観察キューブの移動範囲を制限するために、切換可能な観察キューブを例えば中央部と一端部との各観察キューブに限定されてしまい、上述したように例えば明視野観察、暗視野観察、ＤＩＣ観察の３つの観察法を適宜切り換えて観察する場合、特に主観察法のキューブを中央部に配置して観察する場合には適用できない。又、特許文献２は、キューブの移動範囲の制限を解除すると、特許文献１と同様に、中央部の光学素子ユニットが観察光軸上の所定の位置で停止せずに行き過ぎることを回避することはできない。さらに、特許文献２は、観察キューブを移動させるツマミが観察キューブの移動方向に対して垂直方向に設けられているために、ツマミの操作時に移動機構に対してびびりが発生したり、ツマミ及び移動機構に対する力の加わり方によって寿命にも影響を与えるおそれがある。本来、観察キューブを移動させるツマミは、移動機構の近くで移動方向に対して平行に配置されることが望ましい。ところが、特許文献２では、ツマミにより観察キューブを移動させる操作方向と観察キューブの移動範囲の制限を行う操作方向とが異なるために、観察時の操作性が低い。
【課題を解決するための手段】
【０００７】
本発明は、少なくとも３つ以上の各観察法の各光学素子ユニットのうちいずれか１つの光学素子ユニットを顕微鏡の照明光学系の光路上に配置していずれか１つの観察法に切り換える顕微鏡の光学素子切換装置において、各光学素子ユニットを保持するユニット保持部と、ユニット保持部を移動可能に設け、各光学素子ユニットのうちいずれか１つの光学素子ユニットを照明光学系の光路上にガイドするガイド機構と、ユニット保持部をガイド機構に沿って移動させて、各光学素子ユニットのうちいずれか１つの光学素子ユニットを照明光学系の光路上に配置させる切換操作部と、切換操作部によるユニット保持部の移動範囲を制限し、かつ当該移動範囲の制限を有効又は無効に選択可能な制限機構とを具備した顕微鏡の光学素子切換装置である。
【発明の効果】
【０００８】
本発明は、少なくとも３つ以上の各観察法の各光学素子ユニットを切り換える際に、両端部以外に配置された光学素子ユニットの移動方向に関係なく、所定の位置に位置決めできる操作性を向上させた顕微鏡の光学素子切換装置を提供できる。
【発明を実施するための最良の形態】
【０００９】
以下、本発明の第１の実施の形態について図面を参照して説明する。  
図１は落射顕微鏡の構成図を示す。顕微鏡本体１には、ステージ２が矢印Ａ方向に上下移動可能に設けられている。このステージ２の上面には、標本３が載置される。顕微鏡本体１の側面には、焦準機構の焦準ハンドル４が設けられ、この焦準ハンドル４に対する操作によってステージ２がＺ軸方向である矢印Ａ方向に上下移動する。  
顕微鏡本体１の上部には、落射投光管５が設けられている。この落射投光管５の背面側には、光源ユニット６が設けられている。この光源ユニット６内には、光源７が設けられ、この光源７から出射された光が落射投光管５内に投光される。落射投光管５内には、落射照明光軸Ｌ１に照明レンズ８、開口絞り９、視野絞り１０、照明レンズ１１及び観察キューブ１２が設けられている。観察キューブ１２は、複数の観察法に対応したキューブが観察光軸Ｌ２上に切換可能であり、例えば明視野観察、暗視野観察、ＤＩＣ観察、蛍光観察などのキューブを有する。
【００１０】
落射投光管５における観察光軸Ｌ２上の下面には、レボルバ１３が設けられ、このレボルバ１３に複数の対物レンズ１４が取り付けられている。レボルバ１３は、回転することによりいずれか１つの対物レンズ１４を観察光軸Ｌ２上に配置する。落射投光管５における観察光軸Ｌ２上の上面には、鏡筒１５が設けられ、この鏡筒１５内に結像レンズ１６が設けられている。この鏡筒１５には、接眼レンズ１７が装着されると共に、ＣＣＤカメラ等を取り付けるためのＴＶ（テレビジョン）ポート１８が設けられている。
【００１１】
このような落射顕微鏡であれば、光源７から出射された光は、照明レンズ８、開口絞り９、視野絞り１０、照明レンズ１１を通って観察キューブ１２に入射し、この観察キューブ１２により下方に向けて反射され、対物レンズ１４を通して標本３に照明される。この標本３からの戻り光は、対物レンズ１４を通って観察キューブ１２に入射し、この観察キューブ１２を透過して鏡筒１５に入り、結像レンズ１６により結像される。これにより、観察者は、接眼レンズ１７を通して標本３の観察像を目視により観察できる。又、ＴＶポート１８にＣＣＤカメラ等の撮像装置を取り付け、この撮像装置により撮像される標本３の観察像をモニタテレビジョンに映し出すことにより観察者は、モニタ観察できる。標本３に対するピント合わせは、焦準ハンドル４に対する操作によりステージ２を上下移動させて行われる。
【００１２】
図２は観察キューブ１２の切換を行う顕微鏡の光学素子切換装置の構成図を示す。顕微鏡本体１内には、スライドアリ機構を有するガイド機構２０が設けられている。このガイド機構２０には、ユニット保持部としてのキューブ保持部材２１が観察光軸Ｌ２に対して垂直方向となるＹ軸方向（矢印Ｂ方向）に往復移動可能に設けられている。このガイド機構２０は、図３に示すようにキューブ保持部材２１に設けられたオスアリ２２と、顕微鏡本体１に設けられたメスアリ２３とから成り、これらオスアリ２２とメスアリ２３とが互いに嵌合して設けられている。
【００１３】
このキューブ保持部材２１には、例えば３つのオスアリ２４−１、２４−２、２４−３がＹ軸方向に対して所定の間隔毎に設けられている。一方、明視野観察用キューブ１２−１、暗視野観察用キューブ１２−２、ＤＩＣ観察用キューブ１２−３には、それぞれメスアリ２５−１、２５−２、２５−３が設けられている。従って、キューブ保持部材２１の各オスアリ２４−１、２４−２、２４−３に対して明視野観察用キューブ１２−１、暗視野観察用キューブ１２−２、ＤＩＣ観察用キューブ１２−３の各メスアリ２５−１、２５−２、２５−３を嵌合させることにより、明視野観察用キューブ１２−１、暗視野観察用キューブ１２−２及びＤＩＣ観察用キューブ１２−３は、それぞれキューブ保持部材２１に対して着脱可能に設けられる。ここでは、例えば明視野観察用キューブ１２−１がキューブ保持部材２１の中央部に取り付けられ、この明視野観察用キューブ１２−１の両端側に暗視野観察用キューブ１２−２とＤＩＣ観察用キューブ１２−３とがそれぞれ取り付けられている。なお、明視野観察用キューブ１２−１内には明視野観察用の光学素子２６−１が設けられ、暗視野観察用キューブ１２−２内には暗視野観察用の光学素子２６−２が設けられ、ＤＩＣ観察用キューブ１２−３内にはＤＩＣ観察用の光学素子２６−３が設けられている。
【００１４】
図４（ａ）（ｂ）（ｃ）はキューブ保持部材２１に対する明視野観察用キューブ１２−１の固定構造を示す図であって、同図（ａ）は同構造のＹＺ平面の断面図、同図（ｂ）は同構造のＸＹ平面の断面図、同図（ｃ）は同構造の固定作用の図を示す。キューブ保持部材２１には、固定部材２７が固定ビス２８の締め付けにより固定されている。この固定部材２７には、ビス用孔２９が設けられ、このビス用孔２９を通して固定ビス２８が締め付けられている。このビス用孔２９は、固定ビス２８の直径より大きい径を有しているので、固定ビス２８は、ビス用孔２９との寸法差分だけ可動可能になっている。固定部材２７には、傾斜面２７ａが設けられている。又、キューブ保持部材２１のオスアリ２４−１には、雌ネジ３０が設けられ、この雌ネジ３０に着脱ビス３１−１がねじ込まれている。この着脱ビス３１−１は、ねじ込まれることによりその先端部が固定部材２７の傾斜面２７ａに当接する。
【００１５】
従って、明視野観察用キューブ１２−１は、メスアリ２５−１をキューブ保持部材２１のオスアリ２４−１に嵌合し、図４（ｃ）に示すように突き当て面２１ａに突き当たるまで押し込まれる。次に、着脱ビス３１−１をねじ込み、当該着脱ビス３１−１の先端部を固定部材２７の傾斜面２７ａに当接させる。これにより、固定部材２７は、メスアリ２５−１の内壁に対して圧接し、明視野観察用キューブ１２−１をキューブ保持部材２１に対して固定する。しかるに、明視野観察用キューブ１２−１は、キューブ保持部材２１に対して着脱可能で、かつ位置決めの再現性を持って固定される。  
なお、暗視野観察用キューブ１２−２とＤＩＣ観察用キューブ１２−３とのキューブ保持部材２１に対する固定構造も明視野観察用キューブ１２−１のキューブ保持部材２１に対する固定構造と同一であり、その説明は省略する。暗視野観察用キューブ１２−２、ＤＩＣ観察用キューブ１２−３とは、それぞれ各着脱ビス３１−２、３１−３のねじ込みによりキューブ保持部材２１の各メスアリ２５−２、２５−３に固定される。
【００１６】
図２に示すように顕微鏡本体１には、明視野観察用キューブ１２−１、暗視野観察用キューブ１２−２又はＤＩＣ観察用キューブ１２−３のいずれか１つを観察光軸Ｌ２上に位置決めするための位置決め機構３２が設けられている。すなわち、顕微鏡本体１には、バネ３３及びボール３４が内設され、このバネ３３の付勢力によってボール３４がキューブ保持部材２１側に付勢されている。一方、キューブ保持部材２１には、各切り欠き部３５−１、３５−２、３５−３が設けられている。これら切り欠き部３５−１、３５−２、３５−３は、それぞれ明視野観察用キューブ１２−１、暗視野観察用キューブ１２−２、ＤＩＣ観察用キューブ１２−３の各光軸間隔に対応して設けられている。従って、バネ３３の付勢力によってボール３４が各切り欠き部３５−１、３５−２、３５−３のうちいずれか１つに入り込むと、当該ボール３４が入り込んだ例えば切り欠き部３５−１に対応する明視野観察用キューブ１２−１が観察光軸Ｌ２上に位置決めされる。
【００１７】
顕微鏡本体１には、開口３６が設けられている。この開口３６は、明視野観察用キューブ１２−１、暗視野観察用キューブ１２−２及びＤＩＣ観察用キューブ１２−３を取り付けたキューブ保持部材２１の全体を顕微鏡本体１の外部に取り出すために設けられている。この開口３６は、通常、カバー３７が固定ビス３８により取り付けられて塞がれている。このカバー３７には、孔３９が設けられると共に、顕微鏡本体１の内側となる面に制限スタッド４０が設けられている。
顕微鏡本体１における制限スタッド４０と対向する位置には、制限ピン４１が設けられている。これら制限スタッド４０と制限ピン４１とは、キューブ保持部材２１の矢印Ｂ方向への最大移動範囲を制限する。制限スタッド４０は、暗視野観察用キューブ１２−２を観察光軸Ｌ２上に配置するときに、キューブ保持部材２１に当接してキューブ保持部材２１の矢印Ｂａ方向への移動を制限し、暗視野観察用キューブ１２−２が観察光軸Ｌ２よりも矢印Ｂａ方向側へ移動しないようにする。制限ピン４１は、ＤＩＣ観察用キューブ１２−３を観察光軸Ｌ２上に配置するときに、キューブ保持部材２１に当接してキューブ保持部材２１の矢印Ｂｂ方向への移動を制限し、ＤＩＣ観察用キューブ１２−３が観察光軸Ｌ２よりも矢印Ｂｂ方向側へ移動しないようにする。
【００１８】
キューブ保持部材２１には、円筒状の移動用穴４２が設けられている。この移動用穴４２内には、円柱状の選択ツマミ４３が摺動可能に設けられている。この選択ツマミ４３は、移動用穴４２の穴径よりも若干小さな軸径を有する。この選択ツマミ４３には、当該選択ツマミ４３の軸径よりも小さな径の操作端４３ａが一体化して設けられている。  
この選択ツマミ４３と移動用穴４２の奥部との間には、バネ４４が設けられている。このバネ４４は、選択ツマミ４３を移動用穴４２の外側に押し出す付勢力を有する。移動用穴４２の開口側には、切換操作部としての切換ツマミ４５が各固定ビス４６によって固定されている。これにより、選択ツマミ４３は、バネ４４の付勢力によって切換ツマミ４５に押し当てられている。
切換ツマミ４５は、円筒状に形成され、カバー３７の孔３９を通して顕微鏡本体１の外部に突出している。この切換ツマミ４５内には、選択ツマミ４３の操作端４３ａが摺動可能に設けられ、かつその端部が切換ツマミ４５から突出量ａだけ突出している。  
従って、切換ツマミ４５を顕微鏡本体１に対して挿脱させると、この切換ツマミ４５の挿脱によってキューブ保持部材２１がガイド機構２０に沿って矢印Ｂ方向に移動し、明視野観察用キューブ１２−１、暗視野観察用キューブ１２−２又はＤＩＣ観察用キューブ１２−３が観察光軸Ｌ２上に配置される。
【００１９】
顕微鏡本体１には、制限機構５０が設けられている。この制限機構５０は、選択ツマミ４３によるキューブ保持部材２１の矢印Ｂ方向の移動範囲を制限し、かつ当該移動範囲の制限を有効又は無効に選択可能である。すなわち、選択ツマミ４３の外周面には、全周に亘って挿脱溝５１が設けられている。この挿脱溝５１は、底部になるに従って溝幅が狭く形成されている。この挿脱溝５１内には、第２の制限部材としての挿脱ピン５２が挿脱可能に設けられている。この挿脱ピン５２は、挿脱溝５１内に嵌合する半球状の嵌合部５２ａと、この嵌合部５２ａよりも小さな径を有するピン５２ｂとからなる。  
キューブ保持部材２１には、孔５３が設けられ、この孔５３内に挿脱ピン５２が摺動可能に設けられている。孔５３の開口部には、フタ５４が固定されている。このフタ５４には、ピン突出用の孔が設けられ、この孔内を通してピン５２ｂが出没する。フタ５４と挿脱ピン５２の合部５２ａとの間には圧縮バネ５５が設けられている。この圧縮バネ５５は、付勢力によって挿脱ピン５２を挿脱溝５１内に押し当てる。この圧縮バネ５５は、選択ツマミ４３の動作を阻害しないバネ力量を有する。  
選択ツマミ４３の操作端４３ａを突出量ａだけ押し込むと、選択ツマミ４３が移動用穴４２内を摺動し、これに伴う挿脱溝５１の移動により挿脱ピン５２が挿脱溝５１内から押し出される。これにより、挿脱ピン５２のピン５２ｂは、第１の位置としてフタ５４のピン突出用の孔から突出する。
【００２０】
一方、選択ツマミ４３の操作端４３ａの押し込みを解除すると、選択ツマミ４３は、バネ４４の付勢力によって移動用穴４２内を摺動し、切換ツマミ４５に押し当てられる。この選択ツマミ４３の摺動により挿脱溝５１が元の位置に復帰するので、挿脱ピン５２は挿脱溝５１内に入り込む。これにより、挿脱ピン５２のピン５２ｂは、第２の位置としてフタ５４のピン突出用の孔内に没する。
従って、選択ツマミ４３の操作端４３ａが押し込まれたときにキューブ保持部材２１の移動範囲の制限が有効となり、引き出したときに無効になるように働く。  
顕微鏡本体１には、固定軸５６を介して第１の制限部材としての制限板５７が矢印Ｃ方向に回転可能に取り付けられている。これら固定軸５６と制限板５７との間には、弾性部材としてのリングバネ５８が設けられている。このリングバネ５８は、一端を制限板５７に設けられた穴５７ａに係止すると共に、他端を顕微鏡本体１に設けられた固定ピン５９に固定されている。このリングバネ５８は、制限板５７に対して当該制限板５７の正負の回転方向に関係無く、回転すればそれを元に戻そうする復元力を与える。
制限板５７は、フタ５４から突出した挿脱ピン５２のピン５２ｂと当接することにより回転する。この制限板５７の回転は、各制限面６０ａ、６０ｂで規制される。これら制限面６０ａ、６０ｂは、挿脱ピン５２のピン５２ｂが矢印Ｂａ方向又は矢印Ｂｂ方向のいずれの方向から制限板５７を押した場合でも、挿脱ピン５２の停止位置が同一になるように設定されている。
【００２１】
次に、上記の如く構成された光学素子切換装置における各観察用キューブの交換について説明する。  
各観察用キューブの全てを交換する場合、先ず、各固定ビス３８を外すことによりカバー３７が開口３６から取り外される。次に、各観察用キューブを保持するキューブ保持部材２１が開口３６を通して顕微鏡本体１中から外部に取り出される。  
次に、キューブ保持部材２１に保持されている各観察用キューブが各着脱ネジ３１−１、３１−２、３１−３を緩めて抜くことにより各オスアリ２４−１、２４−２、２４−３から取り外される。次に、例えば図２に示すように観察に必要な例えば明視野観察用キューブ１２−１がキューブ保持部材２１の中央部のオスアリ２４−１に取り付けられ、この明視野観察用キューブ１２−１に隣接する一方側のオスアリ２４−２に暗視野観察用キューブ１２−２が取り付けられ、かつ明視野観察用キューブ１２−１に隣接する他方側のオスアリ２４−３にＤＩＣ観察用キューブ１２−３が取り付けられる。これら明視野観察用キューブ１２−１、暗視野観察用キューブ１２−２及びＤＩＣ観察用キューブ１２−３は、それぞれ各オスアリ２４−１、２４−２、２４−３に対して突き当て面２１ａに突き当たるまで挿入される。
【００２２】
次に、図４（ｃ）に示すように各着脱ネジ３１−１、３１−２、３１−３がねじ込まれる。これにより、各着脱ネジ３１−１、３１−２、３１−３の各先端部が固定部材２７の傾斜面２７ａに当接し、固定部材２７を各メスアリ２５−１、２５−２、２５−３の各内壁に対して圧接される。この結果、明視野観察用キューブ１２−１、暗視野観察用キューブ１２−２及びＤＩＣ観察用キューブ１２−３は、それぞれキューブ保持部材２１に対して位置決めされて固定される。
【００２３】
次に、観察用キューブの切り換え動作について説明する。  
標本３の観察中に、例えば暗視野観察からＤＩＣ観察に切り換える場合、逆にＤＩＣ観察から暗視野観察に切り換える場合、又は特に観察法の切り換えに確実な位置決めを必要としない場合は、それぞれ切換ツマミ４５を押し込み又は引き出すことによりキューブ保持部材２１をガイド機構２０に沿って矢印Ｂｂ方向に移動させ、観察に必要とする明視野観察用キューブ１２−１、暗視野観察用キューブ１２−２又はＤＩＣ観察用キューブ１２−３を観察光軸Ｌ２上に配置する。これにより、明視野観察、暗視野観察又はＤＩＣ観察のいずれかの観察法に切り換えられる。
【００２４】
次に、暗視野観察用キューブ１２−２から明視野観察用キューブ１２−１への切り換えについて図５Ａ乃至図５Ｃを参照して説明する。  
図５Ａは暗視野観察用キューブ１２−２を観察光軸Ｌ２上に配置した状態を示す。この状態から明視野観察用キューブ１２−１に切り換える場合、選択ツマミ４３の操作端４３ａが押し込まれると、この選択ツマミ４３は、バネ４４の付勢力に打ち勝って移動用穴４２内の奥部に向って移動する。この選択ツマミ４３の移動により挿脱ピン５２が挿脱溝５１内から押し出される。これにより、挿脱ピン５２のピン５２ｂがフタ５４のピン突出用の孔から突出する。
【００２５】
この状態で、切換ツマミ４５が押し込まれると、キューブ保持部材２１は、ガイド機構２０に沿って矢印Ｂｂ方向に移動する。これと共に挿脱ピン５２のピン５２ｂは、フタ５４のピン突出用の孔から突出した状態で矢印Ｂｂ方向に移動する。このようにキューブ保持部材２１の移動に伴って挿脱ピン５２が移動すると、この挿脱ピン５２のピン５２ｂは、図５Ｂに示すように制限板５７に当接する。さらに、切換ツマミ４５を介してキューブ保持部材２１が矢印Ｂｂ方向に移動すると、挿脱ピン５２のピン５２ｂは、制限板５７をさらに押し込む。このピン５２ｂの押し込みにより制限板５７は、固定軸５６を中心に回転する。この制限板５７は、制限面６０ａで回転が制限されている。従って、制限板５７が制限面６０ａに接触すると、キューブ保持部材２１は、矢印Ｂｂ方向への摺動が制限される。すなわち、選択ツマミ４３の操作端４３ａが押し込んだときにキューブ保持部材２１の移動範囲の制限が有効になる。
【００２６】
このとき、位置決め機構３２のボール３４がバネ３３の付勢力によって明視野観察用キューブ１２−１に対応する切り欠き部３５−１内に入り込む。これにより、明視野観察用キューブ１２−１が観察光軸Ｌ２上に位置決めされる。
【００２７】
次に、切換ツマミ４５を介してキューブ保持部材２１の押し込みを止めると共に、選択ツマミ４３の操作端４３ａの押し込みを止めると、図５Ｃに示すように選択ツマミ４３は、バネ４４の付勢力によって移動用穴４２内を矢印Ｂａ方向に戻り、これに伴って挿脱ピン５２が挿脱溝５１内に入り込む。これにより、挿脱ピン５２のピン５２ｂは、フタ５４のピン突出用の孔から没する。これと共に、制限板５７は、リングバネ５８の付勢力によって初期状態に戻る。しかるに、キューブ保持部材２１の移動制限は解除される。この結果、明視野観察用キューブ１２−１が観察光軸Ｌ２上に配置される。
【００２８】
次に、ＤＩＣ観察用キューブ１２−３から明視野観察用キューブ１２−１への切り換えについて説明する。  
図５ＤはＤＩＣ観察用キューブ１２−３を観察光軸Ｌ２上に配置した状態を示す。この状態から明視野観察用キューブ１２−１に切り換える場合、選択ツマミ４３の操作端４３ａが押し込まれることにより上記同様に、選択ツマミ４３がバネ４４の付勢力に打ち勝って移動用穴４２内を奥部に向って移動し、これと共に挿脱ピン５２が挿脱溝５１内から押し出され、同挿脱ピン５２のピン５２ｂがフタ５４のピン突出用の孔から突出する。
【００２９】
この状態で、切換ツマミ４５が引き出されると、キューブ保持部材２１は、ガイド機構２０に沿って矢印Ｂａ方向に移動し、これと共に挿脱ピン５２のピン５２ｂがフタ５４のピン突出用の孔から突出した状態で開口３６側に向って移動する。この挿脱ピン５２のピン５２ｂは、制限板５７に当接し、制限板５７を押し込み、これにより制限板５７は、固定軸５６を中心に回転する。そして、制限板５７が制限面６０ｂに接触すると、キューブ保持部材２１は、矢印Ｂａ方向への移動が制限される。このとき、位置決め機構３２のボール３４がバネ３３の付勢力によって明視野観察用キューブ１２−１に対応する切り欠き部３５−１内に入り込み、これにより、明視野観察用キューブ１２−１が観察光軸Ｌ２上に位置決めされる。
【００３０】
次に、切換ツマミ４５を介してキューブ保持部材２１の押し込みを止めると共に、選択ツマミ４３の操作端４３ａの押し込みを止めると、上記同様に、挿脱ピン５２が挿脱溝５１内に入り込み、挿脱ピン５２のピン５２ｂがフタ５４のピン突出用の孔から没し、かつ制限板５７がリングバネ５８の付勢力によって初期状態に戻る。しかるに、キューブ保持部材２１の移動制限は解除され、明視野観察用キューブ１２−１が観察光軸Ｌ２上に配置される。
【００３１】
このように上記第１の実施の形態によれば、キューブ保持部材２１をガイド機構２０に沿って移動させて当該キューブ保持部材２１に保持されている３つ以上の例えば明視野観察用キューブ１２−１、暗視野観察用キューブ１２−２又はＤＩＣ観察用キューブ１２−３を観察光軸Ｌ２上に配置する場合、選択ツマミ４３を押し込むことによりピン突出用の孔から出没する挿脱ピン５２と、この挿脱ピン５２を出没させるための挿脱溝５１を設けた選択ツマミ４３と、挿脱ピン５２が当接することによりキューブ保持部材２１の移動範囲を制限する制限板５７とを有する制限機構５０を設けた。  
これにより、キューブ保持部材２１を移動させて例えば暗視野観察用キューブ１２−２から明視野観察用キューブ１２−１への切り換える場合又はＤＩＣ観察用キューブ１２−３から明視野観察用キューブ１２−１への切り換える場合に、キューブ保持部材２１の移動方向に関係なく、かつ明視野観察用キューブ１２−１が観察光軸Ｌ２上に停止せずに行き過ぎることがなく、確実に明視野観察用キューブ１２−１を観察光軸Ｌ２上に位置決めできる。これにより、例えば明視野観察用キューブ１２−１を中央部に配置し、この明視野観察用キューブ１２−１の両端側に暗視野観察用キューブ１２−２とＤＩＣ観察用キューブ１２−３とを配置した場合に、主として標本３の観察に使用する明視野観察用キューブ１２−１を暗視野観察用キューブ１２−２又はＤＩＣ観察用キューブ１２−３からの切り換え時の操作性を向上できる。
【００３２】
挿脱ピン５２と選択ツマミ４３と制限板５７とを有する制限機構５０によってキューブ保持部材２１の移動範囲を制限する構成なので、明視野観察用キューブ１２−１、暗視野観察用キューブ１２−２又はＤＩＣ観察用キューブ１２−３に切り換えるときに、キューブ保持部材２１の移動に影響を与えることはなく、信頼性の高い、顕微鏡の光学素子切換装置としての品質を安定させることができる。  
選択ツマミ４３の操作端４３ａの押し込み又はこの押し込みの解除によって挿脱ピン５２のピン５２ｂを出没させるので、キューブ保持部材２１の移動範囲の制限を有効にしたり解除することの選択が可能である。キューブ保持部材２１の移動範囲の制限を解除したときは、確実な位置決めを必要とせずに明視野観察用キューブ１２−１、暗視野観察用キューブ１２−２又はＤＩＣ観察用キューブ１２−３の間で任意に切り換えができる。
【００３３】
次に、本発明の第２の実施の形態について図面を参照して説明する。なお、図２と同一部分には同一符号を付してその詳しい説明は省略する。  
図６は顕微鏡の光学素子切換装置の構成図を示し、図７は同装置におけるキューブ保持部材及び制限機構の断面図を示す。キューブ保持部材２１には、回転軸７０が固定されている。この回転軸７０には、中空状に形成された回転ツマミ７１が回転可能に軸支されている。この回転ツマミ７１におけるキューブ保持部材２１側の外周面には、第２の制限部材としての制限用突起７２が設けられている。  
キューブ保持部材２１における開口３６側の側面には、規制ピン７３と固定ピン７４とが設けられている。このうち固定ピン７４には、リングバネ７５の一端が固定されている。このリングバネ７５の他端は、制限用突起７２に係止されている。このリングバネ７５は、固定ピン７４から回転ツマミ７１の外周面に沿い、制限用突起７２に係止されて設けられ、制限用突起７２を規制ピン７３に当接する付勢力を有する。  
従って、回転ツマミ７１を図７に示すように矢印Ｄ方向に回転されると、この回転ツマミ７１の回転と共に制限用突起７２も矢印Ｄ方向に回転移動する。この回転移動により制限用突起７２は、制限板５６に対して当接可能な第１の位置と、制限板５６に対して当接しない第２の位置とに配置可能である。
【００３４】
このような構成であれば、明視野観察用キューブ１２−１、暗視野観察用キューブ１２−２及びＤＩＣ観察用キューブ１２−３などの全ての観察用キューブの交換と、例えば暗視野観察からＤＩＣ観察に切り換える場合、逆にＤＩＣ観察から暗視野観察に切り換える場合又は特に観察法の切り換えに確実な位置決めを必要としない場合での各切り換えの動作とは、上記第１の実施の形態と同様であり、その説明は省略する。
【００３５】
次に、暗視野観察用キューブ１２−２から明視野観察用キューブ１２−１に切り換える場合について説明する。  
暗視野観察用キューブ１２−２が観察光軸Ｌ２上に配置されている状態で、回転ツマミ７１がリングバネ７５の付勢力に打ち勝って回転軸７０を中心として矢印Ｄ方向のうち紙面上反時計回りに回転されると、この回転ツマミ７１の回転移動により制限用突起７２が制限板５６に対して当接可能な位置に配置される。
【００３６】
この状態で、回転ツマミ７１が押し込まれると、キューブ保持部材２１は、ガイド機構２０に沿って矢印Ｂｂ方向に移動する。これと共に制限用突起７２もキューブ保持部材２１の移動方向と同一方向に移動する。これにより、制限用突起７２は、制限板５７に当接する。さらに、回転ツマミ７１を介してキューブ保持部材２１が矢印Ｂｂ方向に移動すると、制限用突起７２は、制限板５７をさらに押し込む。この制限用突起７２の押し込みにより制限板５７は、固定軸５６を中心に回転する。この制限板５７は、上記同様に、制限面６０ａで回転が制限されるので、制限板５７が制限面６０ａに接触すると、キューブ保持部材２１は、矢印Ｂｂ方向への移動が制限される。  
このとき、位置決め機構３２のボール３４がバネ３３の付勢力によって明視野観察用キューブ１２−１に対応する切り欠き部３５−１内に入り込む。これにより、明視野観察用キューブ１２−１が観察光軸Ｌ２上に位置決めされる。  
回転ツマミ７１の回転を停止すると、当該回転ツマミ７１は、リングバネ７５の付勢力によって回転軸７０を中心として矢印Ｄ方向のうち紙面上時計回りに回転して元に復帰し、規制ピン７３を制限用突起７２に当接させる。これにより、キューブ保持部材２１の移動制限は解除される。
【００３７】
次に、ＤＩＣ観察用キューブ１２−３から明視野観察用キューブ１２−１への切り換える場合、ＤＩＣ観察用キューブ１２−３が観察光軸Ｌ２上に配置されている状態で、回転ツマミ７１がリングバネ７５の付勢力に打ち勝って回転軸７０を中心として矢印Ｄ方向のうち紙面上反時計回りに回転されると、この回転ツマミ７１の回転移動により制限用突起７２が制限板５６に対して当接可能な位置に配置される。  
この状態で、回転ツマミ７１を引き出すと、キューブ保持部材２１は、ガイド機構２０に沿って矢印Ｂａ方向に移動し、上記同様に、制限板５７が制限面６０ｂに接触することによってキューブ保持部材２１の矢印Ｂａ方向への移動が制限される。このとき、位置決め機構３２のボール３４がバネ３３の付勢力によって明視野観察用キューブ１２−１に対応する切り欠き部３５−１内に入り込むので、明視野観察用キューブ１２−１が観察光軸Ｌ２上に位置決めされる。
【００３８】
このように上記第２の実施の形態によれば、キューブ保持部材２１に固定された回転軸７０と、この回転軸７０に対して回転可能に軸支された回転ツマミ７１と、この回転ツマミ７１に設けられた制限用突起７２と、この制限用突起７２に係止されて当該制限用突起７２を制限板５６に当接しない位置に配置させるリングバネ７５とを有する制限機構５０を設けた。このような制限機構５０であれば、上記第１の実施の形態と同様の効果を奏することができ、かつ上記第１の実施の形態よりも構成部品の数が少なくして構成を簡単化でき、これにより安価にできる。
【００３９】
次に、本発明の第３の実施の形態について図面を参照して説明する。なお、図２と同一部分には同一符号を付してその詳しい説明は省略する。  
図８は顕微鏡の光学素子切換装置の構成図を示す。選択ツマミ４３の外周面には、例えば２つの挿脱溝８０、８１が設けられている。これら挿脱溝８０、８１は、それぞれ例えば円形で、かつ底部になるに従って径が小さくなる逆円錐状に形成されている。なお、各挿脱溝８０、８１は、それぞれ円形の逆円錐状に形成するのに限らず、選択ツマミ４３の外周面を当該選択ツマミ４３の長手方向に対して垂直方向に切り欠いた切り欠け部として形成してもよい。これら挿脱溝８０、８１内には、それぞれ第２の制限部材としての挿脱ピン５２が挿脱可能である。これら挿脱溝８０、８１は、選択ツマミ４３の軸を介して互いに反対側の外周面で、かつ選択ツマミ４３の移動方向（矢印Ｂ方向）に選択ツマミ４３の操作端４３ａの切換ツマミ４５から突出量ａと同一間隔ａを隔てて設けられている。
【００４０】
切換ツマミ４５からは、図９（ａ）に示すように選択ツマミ４３の操作端４３ａが突出量ａで突出している。この操作端４３ａには、同図（ａ）（ｂ）に示すように切り欠き部８２が設けられている。この切り欠き部８２は、後述する制限ピン８３が突出量ａだけ押し込まれても干渉しない深さｄに形成されている。  
操作端４３ａは、切り欠き部８２の先端から突出量ａだけ突出している。この操作端４３ａには、第３の制限部材としての制限ピン８３が固定ピン８４を中心として矢印Ｅ方向に回転可能に設けられている。この制限ピン８３は、操作端４３ａの長手方向に一致する位置Ｈａ（破線により示す制限ピン８３ａの位置）と、操作端４３ａの長手方向に対して略垂直方向の位置Ｈｂ（実線により示す制限ピン８３の位置）との間に回転が制限されている。なお、制限ピン８３の回転動作は、十分な摺動力量を持つように調整されており、自然に回転することはない。この制限ピン８３を回転させて位置Ｈａ側に配置した場合、この制限ピン８３は、切り欠き部８２内に入り、選択ツマミ４３を回転させたときに切り欠き部８２の内壁に当接し、選択ツマミ４３の回転を規制する。
【００４１】
このような構成であれば、図８に示すように例えば選択ツマミ４３の挿脱溝８０が制限機構５０を設けられた側に配置され、この挿脱溝８０内に挿脱ピン５２が入り込んでいる状態であれば、明視野観察用キューブ１２−１、暗視野観察用キューブ１２−２及びＤＩＣ観察用キューブ１２−３などの全ての観察用キューブの交換と、例えば暗視野観察からＤＩＣ観察に切り換える場合、逆にＤＩＣ観察から暗視野観察に切り換える場合又は特に観察法の切り換えに確実な位置決めを必要としない場合での各切り換えの動作とは、上記第１の実施の形態と同様であり、その説明は省略する。  
次に、キューブ保持部材２１の移動範囲の制限の有効又は無効の切り換えについて説明する。  
図９（ａ）に示すように制限ピン８３を回転させて操作端４３ａの長手方向に一致する位置Ｈａ側に配置すると、制限ピン８３は、切り欠き部８２の内壁に当接することはなく、選択ツマミ４３の回転の規制は解除される。このとき、図８に示すように例えば選択ツマミ４３の挿脱溝８０が制限機構５０を設けられた側に配置され、この挿脱溝８０内に挿脱ピン５２が入り込んでいる。  
この状態で、選択ツマミ４３を例えば１８０°回転させると、図１０に示すように選択ツマミ４３の挿脱溝８０は、各観察キューブ１２−１、１２−２、１２−３側に配置され、当該挿脱溝８０と間隔ａだけ位置の異なる挿脱溝８１が制限機構５０を設けられた側に配置される。これにより、挿脱ピン５２は、挿脱溝８０内から選択ツマミ４３の外周面に押し出され、当該挿脱ピン５２のピン５２ｂがフタ５４のピン突出用の孔から突出する。しかして、選択ツマミ４３の操作端４３ａが押し込まれると、この選択ツマミ４３は、バネ４４の付勢力に打ち勝って移動用穴４２内の奥部に向って移動する。この選択ツマミ４３の移動により挿脱ピン５２は、挿脱溝５１内に入り込む。これにより、挿脱ピン５２のピン５２ｂは、フタ５４のピン突出用の孔から没する。
【００４２】
従って、選択ツマミ４３の操作端４３ａが押し込んだときに挿脱ピン５２のピン５２ｂがフタ５４のピン突出用の孔から没することになり、上記第１の実施の形態のように選択ツマミ４３の操作端４３ａが押し込んだときに挿脱ピン５２のピン５２ｂがフタ５４のピン突出用の孔から突出する作用とは逆の作用を奏する。この結果、キューブ保持部材２１の移動範囲の制限の有効又は無効の切り換えが上記第１の実施の形態とは逆で、選択ツマミ４３の操作端４３ａが押し込んだときにキューブ保持部材２１の移動範囲の制限が無効となり、引き出したときに有効になる。
【００４３】
次に、図１０に示すように例えば選択ツマミ４３の挿脱溝８０が各観察キューブ１２−１、１２−２、１２−３側に配置され、挿脱溝８１が制限機構５０を設けられた側に配置され、この挿脱溝８１内に挿脱ピン５２が入り込んでいる状態であれば、選択ツマミ４３の操作端４３ａを押し込み、挿脱ピン５２を挿脱溝８１内に入り込ませる。これにより、挿脱ピン５２のピン５２ｂがフタ５４のピン突出用の孔から没し、キューブ保持部材２１の移動範囲の制限が無効になる。  
この状態であれば、明視野観察用キューブ１２−１、暗視野観察用キューブ１２−２及びＤＩＣ観察用キューブ１２−３などの全ての観察用キューブの交換と、例えば暗視野観察からＤＩＣ観察に切り換える場合、逆にＤＩＣ観察から暗視野観察に切り換える場合又は特に観察法の切り換えに確実な位置決めを必要としない場合での各切り換えの動作とは、上記第１の実施の形態と同様に選択ツマミ４３を押し込み、引き出しすることで行う。
【００４４】
次に、暗視野観察用キューブ１２−２から明視野観察用キューブ１２−１に切り換える場合について説明する。  
図１０に示すように挿脱ピン５２のピン５２ｂがフタ５４のピン突出用の孔から突出した状態で、切換ツマミ４５が押し込まれると、キューブ保持部材２１は、ガイド機構２０に沿って矢印Ｂｂ方向に移動し、これと共に挿脱ピン５２のピン５２ｂは、フタ５４のピン突出用の孔から突出した状態で矢印Ｂｂ方向に移動する。これにより、挿脱ピン５２のピン５２ｂは、制限板５７に当接して押し込み、この押し込みにより制限板５７は、固定軸５６を中心に回転する。この制限板５７が制限面６０ａに接触すると、キューブ保持部材２１は、矢印Ｂｂ方向への摺動が制限される。このとき、位置決め機構３２のボール３４がバネ３３の付勢力によって明視野観察用キューブ１２−１に対応する切り欠き部３５−１内に入り込み、明視野観察用キューブ１２−１が観察光軸Ｌ２上に位置決めされる。
【００４５】
続けて、明視野観察用キューブ１２−１からＤＩＣ観察用キューブ１２−３に切換える場合は、一度、選択ツマミ４３を押し込んで、挿脱ピン５２を挿脱溝８１内に入り込ませ、キューブ保持部材２１の移動制限を解除する。この状態で、切換ツマミ４５を介してキューブ保持部材２１を矢印Ｂｂ方向に移動させる。これにより、ＤＩＣ観察用キューブ１２−３が観察光軸Ｌ２上に位置決めされる。
【００４６】
このように上記第３の実施の形態によれば、上記第１の実施の形態と同様の効果を奏することができることは言うまでもなく、キューブ保持部材２１の移動制限の有効、無効とするときの選択ツマミ４３の操作端４３ａの押し込み、引き出しの操作を上記第１の実施の形態と反対にすることができ、観察者の操作の仕方に合わせて選択ツマミ４３の操作端４３ａの操作を切り換えることができ、操作性の向上、観察の自由度を高めることができる。
【００４７】
次に、本発明の他の特徴とするところについて説明する。  
請求項７として、前記第１の制限部材は、前記ガイド機構に対して回転可能に設けられた制限板と、前記制限板に対して前記回転方向に付勢力を与えて、前記第１の制限部材と当接する位置に復帰させる弾性部材とを有することを特徴とする請求項５又は６記載の顕微鏡の光学素子切換装置。  
請求項８として、前記第２の制限部材は、前記ユニット保持部に対して前記第１の位置と前記第２の位置とに出没可能に設けられた制限ピンを有することを特徴とする請求項５又は６記載の顕微鏡の光学素子切換装置。  
請求項９として、前記ユニット保持部に設けられた出没用孔と、前記出没用孔内に設けられ、前記制限ピンを前記溝部に挿入させる付勢力を前記制限ピンに与える弾性部材とを有し、前記制限ピンは、前記選択部材の外周面に接触することにより前記ユニット保持部から前記第１の位置に突出し、かつ前記溝部に入り込むことにより前記ユニット保持部から前記第２の位置に配置されることを特徴とする請求項８記載の顕微鏡の光学素子切換装置。  
請求項１０として、前記選択部材は、前記ユニット保持部に設けられた前記移動用穴内に前記移動方向と同一方向を回転軸として回転可能に設けられ、前記制限ピンは、前記選択部材に設けられ、前記選択部材に対して付勢力を与えて回転させて前記制限ピンを前記第２の位置に配置させる弾性部材を有し、当該弾性部材の付勢力に打ち勝つ回転力を前記選択部材に与えることにより前記制限ピンを前記第１の位置に配置することを特徴とする請求項８記載の顕微鏡の光学素子切換装置。  
請求項１１として、前記選択部材は、前記ユニット保持部に設けられた前記移動用穴内に前記移動方向と同一方向を回転軸として回転可能に設けられ、かつ前記移動方向に対して所定の間隔で前記溝部が複数設けられたことを特徴とする請求項６記載の顕微鏡の光学素子切換装置。  
請求項１２として、前記選択部材の回転を制限又は解除する第３の制限部材を有することを特徴とする請求項１１記載の顕微鏡の光学素子切換装置。  
請求項１３として、前記複数の溝部は、前記選択部材の移動方向においてそれぞれ異なる各位置に設けられ、前記第２の制限部材を前記ユニット保持部に対して前記第１の位置又は前記第２の位置に出没させるための前記選択部材の移動位置を選択可能とすることを特徴とする請求項１１記載の顕微鏡の光学素子切換装置。
【００４８】
なお、本発明は、上記各実施の形態に限定されるものではなく、次のように変形してもよい。  
上記各実施の形態は、明視野観察用キューブ１２−１、暗視野観察用キューブ１２−２及びＤＩＣ観察用キューブ１２−３などの全ての観察用キューブを交換可能にしているが、これに限らず、例えばキューブ保持部材２１に対して明視野観察用キューブ１２−１を固定し、暗視野観察用キューブ１２−２とＤＩＣ観察用キューブ１２−３とをそれぞれ他の観察法のキューブと交換可能に構成してもよい。  
キューブ保持部材２１には、３つ以上の各観察用キューブを取り付けてもよい。この場合、複数配設した各観察用キューブにおける両端に位置する各観察用キューブを除いた観察用キューブの個数だけ挿脱ピン５２又は制限機構５０を設けることで対応できる。  
ガイド機構２０は、スライドアリ機構に限らず、直動ガイド等の移動機構であってもよい。  
制限機構５０には、圧縮バネ５５やリングバネ５８を用いているが、これに限らず、例えば制限板５７を元の位置に復元したり、挿脱ピン５２を突出させるための付勢力を与える弾性部材を用いたり、又は例えば重力方向に各機構を配置し、無効時には重力により戻る機構等の構成にしてもよい。
【図面の簡単な説明】
【００４９】
【図１】本発明に係る顕微鏡の光学素子切換装置の第１の実施の形態を適用した落射顕微鏡を示す構成図。
【図２】同顕微鏡の光学素子切換装置の構成図。
【図３】同装置におけるキューブ保持部材及びガイド機構の断面図。
【図４】同装置におけるキューブ保持部材に対する明視野観察用キューブの固定構造を示す図。
【図５Ａ】同装置における暗視野観察用キューブから明視野観察用キューブへの切り換え動作を示す図。
【図５Ｂ】同装置における暗視野観察用キューブから明視野観察用キューブへの切り換え動作を示す図。
【図５Ｃ】同装置における暗視野観察用キューブから明視野観察用キューブへの切り換え動作を示す図。
【図５Ｄ】同装置におけるＤＩＣ観察用キューブから明視野観察用キューブの切り換え動作を示す図。
【図６】本発明に係る顕微鏡の光学素子切換装置の第２の実施の形態を示す構成図。
【図７】同装置におけるキューブ保持部材及び制限機構の断面図。
【図８】本発明に係る顕微鏡の光学素子切換装置の第３の実施の形態を示す構成図。
【図９】同装置における選択ツマミの操作端の構成図。
【図１０】同装置におけるキューブ保持部材の移動制限の有効、無効の切り換え作用を示す図。
【符号の説明】
【００５０】
１：顕微鏡本体、２：ステージ、３：標本、４：焦準ハンドル、５：落射投光管、６：光源ユニット、７：光源、８：照明レンズ、９：開口絞り、１０：視野絞り、１１：照明レンズ、１２−１，１２−２，１２−３：観察キューブ、１３：レボルバ、１４：対物レンズ、１５：鏡筒、１６：結像レンズ、１７：接眼レンズ、１８：ＴＶポート、２０：ガイド機構、２１：キューブ保持部材、２２：オスアリ、２３：メスアリ、２４−１，２４−２，２４−３：オスアリ、２５−１，２５−２，２５−３：メスアリ、２６−１，２６−２，２６−３：光学素子、２７：固定部材、２８：固定ビス、２９：ビス用孔、２７ａ：傾斜面、３０：雌ネジ、３１−１，３１−２，３１−３：着脱ビス、３２：位置決め機構、３３：バネ、３４：ボール、３５−１，３５−２，３５−３：切り欠き部、３６：開口、３７：カバー、３８：固定ビス、３９：孔、４０：制限スタッド、４１：制限ピン、４２：移動用穴、４３：選択ツマミ、４３ａ：操作端、４４：バネ、４５：切換ツマミ、４６：固定ビス、５０：制限機構、５１：挿脱溝、５２：挿脱ピン、５２ａ：嵌合部、５２ｂ：ピン、５３：孔、５４：フタ、５５：圧縮バネ、５６：固定軸、５７：制限板、５８：リングバネ、５７ａ：穴、５９：固定ピン、６０ａ，６０ｂ：制限面、７０：回転軸、７１：回転ツマミ、７２：制限用突起、７３：規制ピン、７４：固定ピン、７５：リングバネ、８０，８１：挿脱溝、８２：切り欠き部、８３：制限ピン、８４：固定ピン。
【図１】
2007025292.tif 000003
【図２】
2007025292.tif 000004
【図３】
2007025292.tif 000005
【図４】
2007025292.tif 000006
【図５Ａ】
2007025292.tif 000007
【図５Ｂ】
2007025292.tif 000008
【図５Ｃ】
2007025292.tif 000009
【図５Ｄ】
2007025292.tif 000010
【図６】
2007025292.tif 000011
【図７】
2007025292.tif 000012
【図８】
2007025292.tif 000013
【図９】
2007025292.tif 000014
【図１０】
2007025292.tif 000015